(57)【要約】【課題】信頼性の高い本人認証が可能となり且つ利用者がパスワードを取得するまでの時間的なロスが少なくなる新規な認証支援方法及びそのシステムを提供する。【解決手段】利用者のパソコン２０からインターネット４０を介して、その利用者が使用する携帯電話機３０の端末識別番号と、利用者がサービスを利用するときに用いる利用者ＩＤとともに、サービスを利用するための利用者登録を要求する利用者登録要求を受信し、利用者ＩＤと組み合わせて用いるパスワードを生成し、そのパスワードと利用者ＩＤと端末識別番号とを互いに関連付けて利用者情報データベースに登録する。【選択図】  図１
2004318442.tif 000002
【特許請求の範囲】
【請求項１】
インターネットを介したサービスを利用しようとする利用者が本人であるか否かの認証処理を支援するための認証支援方法であって、
利用者の情報通信端末からインターネットを介して、該利用者が使用する移動体通信端末の端末識別情報と、該利用者が該サービスを利用するときに用いる利用者識別情報とともに、該サービスを利用するための利用者登録を要求する利用者登録要求を受信するステップと、
該利用者識別情報と組み合わせて用いるパスワードを生成するステップと、
該パスワードと該利用者識別情報と該端末識別情報とを互いに関連付けて利用者情報データベースに登録するステップとを有することを特徴とする認証支援方法。
【請求項２】
インターネットを介したサービスを利用しようとする利用者が本人であるか否かの認証処理を支援するための認証支援方法であって、
利用者が使用する移動体通信端末から移動体通信ネットワークを介して、該利用者が該サービスを利用するときに用いる利用者識別情報及びパスワードと、該移動体通信端末の端末識別情報とともに、該サービスを利用するための利用者登録を要求する利用者登録要求を受信するステップと、
該パスワードと該利用者識別情報と該端末識別情報とを互いに関連付けて利用者情報データベースに登録するステップとを有することを特徴とする認証支援方法。
【請求項３】
インターネットを介したサービスを利用しようとする利用者が本人であるか否かの認証処理を支援するための認証支援方法であって、
利用者が使用する情報通信端末からインターネットを介して、該利用者が該サービスを利用するときに用いる利用者識別情報と、該利用者が使用する移動体通信端末の端末識別情報とともに、該サービスを利用するための利用者登録を要求する利用者登録要求を受信するステップと、
該利用者識別情報と組み合わせて用いるパスワードを生成するステップと、
該パスワードと該利用者識別情報と該端末識別情報とを互いに関連付けて利用者情報データベースに登録するステップと、
該パスワードを、該移動体通信ネットワーク内で使用されるメッセージ通信システムを用いて該移動体通信端末に送信するステップとを有することを特徴とする認証支援方法。
【請求項４】
請求項１乃至３のいずれかの認証支援方法において、
上記利用者が使用する移動体通信端末から移動体通信ネットワークを介して、上記利用者識別情報と、該移動体通信端末の端末識別情報とともに、該利用者識別情報に関連付けて登録されているパスワードを要求するパスワード取得要求を受信するステップと、
上記利用者情報データベースから、該利用者識別情報に関連付けて登録されている端末識別情報及びパスワードを読み出すステップと、
該移動体通信端末から受信した移動体通信端末の端末識別情報と、該利用者情報データベースから読み出した端末識別情報とが一致するか否かを判断するステップと、
両端末識別情報が一致しているときに、該利用者情報データベースから読み出したパスワードを該移動体通信ネットワークを介して該移動体通信端末に送信するステップとを有することを特徴とする認証支援方法。
【請求項５】
請求項１乃至３のいずれかの認証支援方法において、
上記利用者が使用する情報通信端末からインターネットを介して、該利用者が使用する移動体通信端末の端末識別情報とともに、該端末識別情報に関連付けて登録されているパスワードを要求するパスワード取得要求を受信するステップと、
上記利用者情報データベースから、該端末識別情報に関連付けて登録されているパスワードを読み出すステップと、
該利用者情報データベースから読み出したパスワードを、該移動体通信ネットワーク内で使用されるメッセージ通信システムを用いて該移動体通信端末に送信するステップとを有することを特徴とする認証支援方法。
【請求項６】
請求項１乃至５のいずれかの認証支援方法において、
上記利用者が使用する情報通信端末からインターネットを介して上記サービスを利用するときに用いる利用者識別情報及びパスワードとともに、該利用者が本人であるか否かの認証処理を要求する認証処理要求を受信するステップと、
上記利用者情報データベースから、該利用者識別情報に関連付けられているパスワードを読み出すステップと、
該情報通信端末から受信した利用者識別情報及びパスワードと、該利用者情報データベースから読み出した利用者識別情報及びパスワードとが一致するか否かを判断し、該利用者識別情報及びパスワードが一致するときに該利用者が本人であると認証するステップとを有することを特徴とする認証支援方法。
【請求項７】
インターネットを介したサービスを利用しようとする利用者が本人であるか否かの認証処理を支援するための認証支援システムであって、
利用者の情報通信端末からインターネットを介して、該利用者が使用する移動体通信端末の端末識別情報と、該利用者が該サービスを利用するときに用いる利用者識別情報とともに、該サービスを利用するための利用者登録を要求する利用者登録要求を受信する利用者登録要求受信手段と、
該利用者識別情報と組み合わせて用いるパスワードを生成するパスワード生成手段と、
該利用者に関する情報を保存して管理するための利用者情報データベースと、
該パスワードと該利用者識別情報と該端末識別情報とを互いに関連付けて該利用者情報データベースに登録する認証情報登録手段とを備えたことを特徴とする認証支援システム。
【請求項８】
インターネットを介したサービスを利用しようとする利用者が本人であるか否かの認証処理を支援するための認証支援システムであって、
利用者が使用する移動体通信端末から移動体通信ネットワークを介して、該利用者が該サービスを利用するときに用いる利用者識別情報及びパスワードと、該移動体通信端末の端末識別情報とともに、該サービスを利用するための利用者登録を要求する利用者登録要求を受信する利用者登録要求受信手段と、
該利用者に関する情報を保存して管理するための利用者情報データベースと、
該パスワードと該利用者識別情報と該端末識別情報とを互いに関連付けて該利用者情報データベースに登録する認証情報登録手段とを備えたことを特徴とする認証支援システム。
【請求項９】
インターネットを介したサービスを利用しようとする利用者が本人であるか否かの認証処理を支援するための認証支援システムであって、
利用者が使用する情報通信端末からインターネットを介して、該利用者が該サービスを利用するときに用いる利用者識別情報と、該利用者が使用する移動体通信端末の端末識別情報とともに、該サービスを利用するための利用者登録を要求する利用者登録要求を受信する利用者登録要求受信手段と、
該利用者識別情報と組み合わせて用いるパスワードを生成するパスワード生成手段と、
該利用者に関する情報を保存して管理するための利用者情報データベースと、
該パスワードと該利用者識別情報と該端末識別情報とを互いに関連付けて該利用者情報データベースに登録する認証情報登録手段と、
該パスワードを、該移動体通信ネットワーク内で使用されるメッセージ通信システムを用いて該移動体通信端末に送信するパスワード送信手段とを備えたことを特徴とする認証支援システム。
【請求項１０】
請求項７乃至９のいずれかの認証支援システムにおいて、
上記利用者が使用する移動体通信端末から移動体通信ネットワークを介して、上記利用者識別情報と、該移動体通信端末の端末識別情報とともに、該利用者識別情報に関連付けて登録されているパスワードを要求するパスワード取得要求を受信するパスワード取得要求受信手段と、
上記利用者情報データベースから、該利用者識別情報に関連付けて登録されている端末識別情報及びパスワードを読み出す情報読み出し手段と、
該移動体通信端末から受信した移動体通信端末の端末識別情報と、該利用者情報データベースから読み出した端末識別情報とが一致するか否かを判断する判断手段と、
両端末識別情報が一致しているときに、該利用者情報データベースから読み出したパスワードを該移動体通信ネットワークを介して該移動体通信端末に送信するパスワード送信手段とを備えたことを特徴とする認証支援システム。
【請求項１１】
請求項７乃至９のいずれかの認証支援システムにおいて、
上記利用者が使用する情報通信端末からインターネットを介して、該利用者が使用する移動体通信端末の端末識別情報とともに、該端末識別情報に関連付けて登録されているパスワードを要求するパスワード取得要求を受信するパスワード取得要求受信手段と、
上記利用者情報データベースから、該端末識別情報に関連付けられているパスワードを読み出す情報読み出し手段と、
該利用者情報データベースから読み出したパスワードを、該移動体通信ネットワーク内で使用されるメッセージ通信システムを用いて該移動体通信端末に送信するパスワード送信手段とを備えたことを特徴とする認証支援システム。
【請求項１２】
請求項７乃至１１のいずれかの認証支援システムにおいて、
上記利用者が使用する情報通信端末からインターネットを介して上記サービスを利用するときに用いる利用者識別情報及びパスワードとともに、該利用者が本人であるか否かの認証処理を要求する認証処理要求を受信する認証処理要求受信手段と、
上記利用者情報データベースから、該利用者識別情報に関連付けられているパスワードを読み出す情報読み出し手段と、
該情報通信端末から受信した利用者識別情報及びパスワードと、該利用者情報データベースから読み出した利用者識別情報及びパスワードとが一致するか否かを判断し、該利用者識別情報及びパスワードが一致するときに該利用者が本人であると認証する認証処理手段とを備えたことを特徴とする認証支援システム。
【発明の詳細な説明】
【０００１】
【発明の属する技術分野】
本発明は、インターネットを介したサービスを利用しようとする利用者が本人であるか否かの認証処理を支援するための認証支援方法及びそのシステムに関するものである。
【０００２】
【従来の技術】
従来、インターネットを介したサービス提供として、あらかじめ登録された特定の利用者に対してコンテンツ表示、登録情報の変更、ネットショッピング等のサービスを提供するものが知られている。このサービスを利用する場合、利用者ごとに利用者ＩＤとその利用者ＩＤに対応するパスワードとがあらかじめ登録されていた。この登録されている利用者ＩＤとパスワードとを利用者のパソコン等の情報通信端末から入力することにより、その利用者が本人であるか否かの認証処理が行われる。そして、利用者が本人であると認証された場合にのみ、上記インターネット上のサービスを受けることができるようになっている。
また、上記パスワードを利用者本人が取得する方法としては、サービス利用の新規登録時に登録されたパスワードの電子データをインターネット上の電子メール（ｅ−ｍａｉｌ）を使って送る方法や、パスワードを記載した書類を郵便等で送る方法がとられていた。
【０００３】
【発明が解決しようとする課題】
ところが、上記パスワードを電子メールで利用者に送信する場合、その電子メールに含まれるパスワードの電子データを第三者が不正に取得し、利用者本人になりすまして上記インターネット上のサービスを受けるおそれがあり、信頼性に欠けるという問題点があった。
また、上記パスワードを記載した書類を郵便等で送る場合、利用者がサービス利用を申し込んでからパスワードを取得するまでどうしても時間のロスが生じてしまうという問題点があった。
【０００４】
本発明は以上の問題点に鑑みなされたものであり、その目的は、信頼性の高い本人認証が可能となり且つ利用者がパスワードを取得するまでの時間的なロスが少なくなる新規な認証支援方法及びそのシステムを提供することである。
【０００５】
【課題を解決するための手段】
上記目的を達成するために、請求項１の発明は、インターネットを介したサービスを利用しようとする利用者が本人であるか否かの認証処理を支援するための認証支援方法であって、利用者の情報通信端末からインターネットを介して、該利用者が使用する移動体通信端末の端末識別情報と、該利用者が該サービスを利用するときに用いる利用者識別情報とともに、該サービスを利用するための利用者登録を要求する利用者登録要求を受信するステップと、該利用者識別情報と組み合わせて用いるパスワードを生成するステップと、該パスワードと該利用者識別情報と該端末識別情報とを互いに関連付けて利用者情報データベースに登録するステップとを有することを特徴とするものである。
また、請求項２の発明は、インターネットを介したサービスを利用しようとする利用者が本人であるか否かの認証処理を支援するための認証支援方法であって、利用者が使用する移動体通信端末から移動体通信ネットワークを介して、該利用者が該サービスを利用するときに用いる利用者識別情報及びパスワードと、該移動体通信端末の端末識別情報とともに、該サービスを利用するための利用者登録を要求する利用者登録要求を受信するステップと、該パスワードと該利用者識別情報と該端末識別情報とを互いに関連付けて利用者情報データベースに登録するステップとを有することを特徴とするものである。
また、請求項３の発明は、インターネットを介したサービスを利用しようとする利用者が本人であるか否かの認証処理を支援するための認証支援方法であって、利用者が使用する情報通信端末からインターネットを介して、該利用者が該サービスを利用するときに用いる利用者識別情報と、該利用者が使用する移動体通信端末の端末識別情報とともに、該サービスを利用するための利用者登録を要求する利用者登録要求を受信するステップと、該利用者識別情報と組み合わせて用いるパスワードを生成するステップと、該パスワードと該利用者識別情報と該端末識別情報とを互いに関連付けて利用者情報データベースに登録するステップと、該パスワードを、該移動体通信ネットワーク内で使用されるメッセージ通信システムを用いて該移動体通信端末に送信するステップとを有することを特徴とするものである。
また、請求項４の発明は、請求項１乃至３のいずれかの認証支援方法において、上記利用者が使用する移動体通信端末から移動体通信ネットワークを介して、上記利用者識別情報と、該移動体通信端末の端末識別情報とともに、該利用者識別情報に関連付けて登録されているパスワードを要求するパスワード取得要求を受信するステップと、上記利用者情報データベースから、該利用者識別情報に関連付けて登録されている端末識別情報及びパスワードを読み出すステップと、該移動体通信端末から受信した移動体通信端末の端末識別情報と、該利用者情報データベースから読み出した端末識別情報とが一致するか否かを判断するステップと、両端末識別情報が一致しているときに、該利用者情報データベースから読み出したパスワードを該移動体通信ネットワークを介して該移動体通信端末に送信するステップとを有することを特徴とするものである。
また、請求項５の発明は、請求項１乃至３のいずれかの認証支援方法において、上記利用者が使用する情報通信端末からインターネットを介して、該利用者が使用する移動体通信端末の端末識別情報とともに、該端末識別情報に関連付けて登録されているパスワードを要求するパスワード取得要求を受信するステップと、上記利用者情報データベースから、該端末識別情報に関連付けて登録されているパスワードを読み出すステップと、該利用者情報データベースから読み出したパスワードを、該移動体通信ネットワーク内で使用されるメッセージ通信システムを用いて該移動体通信端末に送信するステップとを有することを特徴とするものである。
また、請求項６の発明は、請求項１乃至５のいずれかの認証支援方法において、上記利用者が使用する情報通信端末からインターネットを介して上記サービスを利用するときに用いる利用者識別情報及びパスワードとともに、該利用者が本人であるか否かの認証処理を要求する認証処理要求を受信するステップと、上記利用者情報データベースから、該利用者識別情報に関連付けられているパスワードを読み出すステップと、該情報通信端末から受信した利用者識別情報及びパスワードと、該利用者情報データベースから読み出した利用者識別情報及びパスワードとが一致するか否かを判断し、該利用者識別情報及びパスワードが一致するときに該利用者が本人であると認証するステップとを有することを特徴とするものである。
【０００６】
また、請求項７の発明は、インターネットを介したサービスを利用しようとする利用者が本人であるか否かの認証処理を支援するための認証支援システムであって、利用者の情報通信端末からインターネットを介して、該利用者が使用する移動体通信端末の端末識別情報と、該利用者が該サービスを利用するときに用いる利用者識別情報とともに、該サービスを利用するための利用者登録を要求する利用者登録要求を受信する利用者登録要求受信手段と、該利用者識別情報と組み合わせて用いるパスワードを生成するパスワード生成手段と、該利用者に関する情報を保存して管理するための利用者情報データベースと、該パスワードと該利用者識別情報と該端末識別情報とを互いに関連付けて該利用者情報データベースに登録する認証情報登録手段とを備えたことを特徴とするものである。
また、請求項８の発明は、インターネットを介したサービスを利用しようとする利用者が本人であるか否かの認証処理を支援するための認証支援システムであって、利用者が使用する移動体通信端末から移動体通信ネットワークを介して、該利用者が該サービスを利用するときに用いる利用者識別情報及びパスワードと、該移動体通信端末の端末識別情報とともに、該サービスを利用するための利用者登録を要求する利用者登録要求を受信する利用者登録要求受信手段と、該利用者に関する情報を保存して管理するための利用者情報データベースと、該パスワードと該利用者識別情報と該端末識別情報とを互いに関連付けて該利用者情報データベースに登録する認証情報登録手段とを備えたことを特徴とするものである。
また、請求項９の発明は、インターネットを介したサービスを利用しようとする利用者が本人であるか否かの認証処理を支援するための認証支援システムであって、利用者が使用する情報通信端末からインターネットを介して、該利用者が該サービスを利用するときに用いる利用者識別情報と、該利用者が使用する移動体通信端末の端末識別情報とともに、該サービスを利用するための利用者登録を要求する利用者登録要求を受信する利用者登録要求受信手段と、該利用者識別情報と組み合わせて用いるパスワードを生成するパスワード生成手段と、該利用者に関する情報を保存して管理するための利用者情報データベースと、該パスワードと該利用者識別情報と該端末識別情報とを互いに関連付けて該利用者情報データベースに登録する認証情報登録手段と、該パスワードを、該移動体通信ネットワーク内で使用されるメッセージ通信システムを用いて該移動体通信端末に送信するパスワード送信手段とを備えたことを特徴とするものである。
また、請求項１０の発明は、請求項７乃至９のいずれかの認証支援システムにおいて、上記利用者が使用する移動体通信端末から移動体通信ネットワークを介して、上記利用者識別情報と、該移動体通信端末の端末識別情報とともに、該利用者識別情報に関連付けて登録されているパスワードを要求するパスワード取得要求を受信するパスワード取得要求受信手段と、上記利用者情報データベースから、該利用者識別情報に関連付けて登録されている端末識別情報及びパスワードを読み出す情報読み出し手段と、該移動体通信端末から受信した移動体通信端末の端末識別情報と、該利用者情報データベースから読み出した端末識別情報とが一致するか否かを判断する判断手段と、両端末識別情報が一致しているときに、該利用者情報データベースから読み出したパスワードを該移動体通信ネットワークを介して該移動体通信端末に送信するパスワード送信手段とを備えたことを特徴とするものである。
また、請求項１１の発明は、請求項７乃至９のいずれかの認証支援システムにおいて、上記利用者が使用する情報通信端末からインターネットを介して、該利用者が使用する移動体通信端末の端末識別情報とともに、該端末識別情報に関連付けて登録されているパスワードを要求するパスワード取得要求を受信するパスワード取得要求受信手段と、上記利用者情報データベースから、該端末識別情報に関連付けられているパスワードを読み出す情報読み出し手段と、該利用者情報データベースから読み出したパスワードを、該移動体通信ネットワーク内で使用されるメッセージ通信システムを用いて該移動体通信端末に送信するパスワード送信手段とを備えたことを特徴とするものである。
また、請求項１２の発明は、請求項７乃至１１のいずれかの認証支援システムにおいて、上記利用者が使用する情報通信端末からインターネットを介して上記サービスを利用するときに用いる利用者識別情報及びパスワードとともに、該利用者が本人であるか否かの認証処理を要求する認証処理要求を受信する認証処理要求受信手段と、上記利用者情報データベースから、該利用者識別情報に関連付けられているパスワードを読み出す情報読み出し手段と、該情報通信端末から受信した利用者識別情報及びパスワードと、該利用者情報データベースから読み出した利用者識別情報及びパスワードとが一致するか否かを判断し、該利用者識別情報及びパスワードが一致するときに該利用者が本人であると認証する認証処理手段とを備えたことを特徴とするものである。
【０００７】
請求項１及び７の発明においては、利用者が使用する情報通信端末からインターネットを介して利用者登録要求を受信したときに、その利用者登録要求とともに受信した移動体通信端末の端末識別情報及び利用者識別情報と、その利用者識別情報と組み合わせて用いるべく生成したパスワードとを互いに関連付けて利用者情報データベースに登録している。したがって、その後に利用者が移動体通信端末を使ってパスワードの取得を要求してきたときに、その移動体通信端末の端末識別情報に基づいて、利用者本人がパスワードの取得を要求していることを確認し、その利用者本人のみが自分のパスワードを取得できるようにすることができる。
【０００８】
請求項２及び８の発明においては、利用者が使用する移動体通信端末から移動体通信ネットワークを介して利用者登録要求を受信したときに、その利用者登録要求とともに受信した移動体通信端末の端末識別情報に基づいて、利用者本人が利用者識別情報及びパスワードを登録しようとしていることを確認できるため、その利用者本人のみが自分のパスワードを登録できる。
【０００９】
請求項３及び９の発明においては、利用者が使用する移動体通信端末から移動体通信ネットワークを介して利用者登録要求を受信したときに、その利用者登録要求とともに受信した移動体通信端末の端末識別情報及び利用者識別情報を、その利用者識別情報と組み合わせて用いるべく生成したパスワードとを互いに関連付けて利用者情報データベースに登録している。そして、この利用者情報データベースに登録したパスワードを、上記端末識別情報に基づいて、移動体通信ネットワーク内で使用されるセキュリティが確保されたメッセージ通信システムにより、その利用者が使用する移動体通信端末に送信する。これにより、その利用者本人のみが自分のパスワードを取得できる。
【００１０】
請求項４及び１０の発明においては、利用者が使用する移動体通信端末からパスワード取得要求を受信したときに、そのパスワード取得要求とともに受信した端末識別情報と、利用者情報データベースから読み出した端末識別情報とが一致しているか否かを判断する。ここで、両端末識別情報が一致しているときに、パスワードの取得を要求してきた利用者が本人であることを確認し、利用者情報データベースから読み出した利用者のパスワードを移動体通信ネットワークを介して移動体通信端末に送信する。これにより、その利用者本人のみが自分のパスワードを確実に取得できる。
【００１１】
請求項５及び１１の発明においては、利用者が使用する情報通信端末からインターネットを介してパスワード取得要求を受信したときに、そのパスワード取得要求とともに受信した端末識別情報に関連付けて登録されているパスワードを、利用者情報データベースから読み出す。
そして、この読み出したパスワードを、上記端末識別情報に基づいて、移動体通信ネットワーク内で使用するセキュリティが確保されたメッセージ通信システムにより、その利用者が使用している移動体通信端末に送信する。これにより、その利用者本人のみが自分のパスワードを確実に取得できる。
【００１２】
請求項６及び１２の発明においては、利用者が使用する情報通信端末からインターネットを介して認証処理要求を受信したときに、その認証処理要求とともに受信した利用者識別情報及びパスワードと、利用者情報データベースから読み出した利用者識別情報及びパスワードとが一致するか否かを判断する。ここで、利用者識別情報及びパスワードが一致しているときに、利用者が本人であると認証し、利用者によるサービスの利用を許可する。このように第三者による不正取得が困難な信頼性の高い方法で登録され利用者によって取得されたパスワードを用いてサービス利用開始を許可することができる。
【００１３】
なお、上記「移動体通信端末」には、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式、ＴＩＡ（Ｔｅｌｅｃｏｍｍｕｎｉｃａｔｉｏｎｓ  Ｉｎｄｕｓｔｒｙ  Ａｓｓｏｃｉａｔｉｏｎ）方式等の携帯電話機、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００で標準化された携帯電話機が含まれる。また、「情報通信端末」には、ＰＨＳ（Ｐｅｒｓｏｎａｌ  Ｈａｎｄｙｐｈｏｎｅ  Ｓｅｒｖｉｃｅ）、自動車電話等の電話機のほか、携帯電話モジュールを付加した情報通信端末も含まれる。
また、上記「情報通信端末」には、パーソナルコンピュータや携帯電話機のほか、インターネットに接続して各種サービスを受けることができる各種の端末が含まれる。
また、上記認証支援システムにおける情報処理は、その認証支援システムを構成するコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【００１４】
【発明の実施の形態】
以下、本発明を移動体通信端末としての携帯電話機を用いた認証支援方法及びそのシステムに適用した実施形態について説明する。
〔実施形態１〕
図１は、本発明の第１の実施形態に係るインターネットを介したサービスを利用するときの認証支援方法を実現するための全体システムを示す概念図である。本実施形態に係る認証支援方法は、インターネット４０を介したサービスを利用しようとする利用者が本人であるか否かの本人認証処理を支援するものである。この本人認証処理を伴うサービスは、インターネット４０上であらかじめ登録されている特定の利用者のみが利用できるものである。サービスの内容としては、利用者ごとに表示される内容が異なるコンテンツを提供するサービス、使用者が各種登録情報を追加・変更・削除などがを行うようにしたサービス、オンライン決済を利用できるネットショッピングのサービス等がある。
【００１５】
上記認証支援方法を実現するために携帯電話通信事業者側に認証支援システム１０が設けられている。この認証支援システム１０は、上記サービスの提供を支援するサービス提供支援システムとしても兼用され、一般公開用ＷＥＢサーバ１１、携帯電話機用ＷＥＢサーバ１２、登録・認証サーバ１３、利用者情報ＤＢ（データベース）サーバ１４、図示しないルータやファイヤーウォール等で構成されている。一般公開用ＷＥＢサーバ１１はインターネット４０に公開されインターネット上の一般利用者からアクセス可能になっている。携帯電話機用ＷＥＢサーバ１２は、移動体通信端末としての携帯電話機３０の利用者のみがアクセス可能なＷＥＢサーバであり、携帯電話機３０の利用者のみが利用可能な各種サービスを提供している。登録・認証サーバ１３は、一般公開用ＷＥＢサーバ１１及び携帯電話機用ＷＥＢサーバ１２から受け渡された利用者の情報に基づいて各サービスの利用者の新規登録処理、登録内容の追加・変更・削除処理、利用者の本人認証処理などを実行する。利用者情報ＤＢサーバ１４は、各利用者の氏名、利用者ＩＤ（利用者識別情報）、携帯電話機の端末識別番号（端末識別情報）、住所、メールアドレス（電子メール、携帯メール）、性別、生年月日、職業などの各種情報を体系的に保存している。ここで、上記「端末識別番号」とは、携帯電話機の移動機番号、加入者番号、製造番号、プロダクトサービスキー番号などの、携帯電話機を一意に特定できる番号である。この利用者情報ＤＢサーバ１４は、登録・認証サーバ１３からの登録処理指令を受けて各利用者の情報を登録したり、登録・認証サーバ１３からの問い合わせ指令を受けて特定の利用者の情報を読み出して登録・認証サーバ１３へ返したりする。各サーバは、単体のコンピュータ装置で構成してもいいし、複数の機能をそれぞれ受け持つ複数台のコンピュータをネットワークで結んで構成してもよい。
【００１６】
各利用者は、自宅や勤務先にある情報通信端末としてのパーソナルコンピュータ（以下「パソコン」という。）２０等からインターネット４０を介して一般公開用ＷＥＢサーバ１１にアクセスし、一般利用者用の各種サービスを受けることができる。各利用者は、携帯電話機３０から移動体通信ネットワークとしての携帯電話通信網５０からゲートウェイ装置４１、５１及びインターネット４０を経由することによって一般公開用ＷＥＢサーバ１１にアクセスすることもできる。また、各利用者は、携帯電話通信網５０を介して携帯電話機用ＷＥＢサーバ１２にアクセスして携帯電話機利用者専用の各種サービスを受けることもできる。携帯電話通信網５０は基地局、交換機、専用線等で構成されている。
【００１７】
図２は、利用者登録を行うときの認証支援システム１０の機能ブロック図である。この認証支援システム１０は、利用者登録要求受信手段１０１と、パスワード生成手段１０２と、利用者情報データベース１０３と、認証情報登録手段１０４とを備えている。
利用者登録要求受信手段１０１は、上記一般公開用ＷＥＢサーバ１１を用いて構成され、次のような機能を有する。すなわち、利用者のパソコン２０からインターネット４０を介して、利用者が使用する携帯電話機３０の端末識別番号（端末識別情報）と、利用者がサービスを利用するときに用いる利用者ＩＤ（利用者識別情報）とともに、サービスを利用するための利用者登録を要求する利用者登録要求を受信する機能を有する。
パスワード生成手段１０２は、上記登録・認証サーバ１３を用いて構成され、上記利用者登録要求受信手段１０１で受信した利用者ＩＤと組み合わせて用いるパスワードを生成する機能を有する。
利用者情報データベース１０３及び認証情報登録手段１０４は、上記利用者情報ＤＢサーバ１４を用いて構成され、利用者に関する情報を保存して管理し、パスワードと利用者ＩＤと携帯電話機３０の端末識別番号とを互いに関連付けて登録する機能を有している。
【００１８】
図３は、利用者がパスワードを取得するときの認証支援システム１０の機能ブロック図である。この認証支援システム１０は、パスワード取得要求受信手段１０５と、情報読み出し手段１０６と、判断手段１０７と、パスワード送信手段１０８とを備えている。
パスワード取得要求受信手段１０５は、上記携帯電話機用ＷＥＢサーバ１２を用いて構成され、次のような機能を有している。すなわち、利用者が使用する携帯電話機３０から携帯電話通信網５０を介して、上記登録した利用者ＩＤと携帯電話機の端末識別番号とともに、利用者ＩＤに関連付けて登録されているパスワードを要求するパスワード取得要求を受信する機能を有している。
情報読み出し手段１０６は、上記利用者情報ＤＢサーバ１４を用いて構成され、利用者情報ＤＢ１０３から利用者ＩＤに関連付けて登録されている端末識別番号及びパスワードを読み出す機能を有している。
判断手段１０７は、上記登録・認証サーバ１３を用いて構成され、パソコン２０から受信した携帯電話機３０の端末識別番号と、利用者情報データベース１０３から読み出した端末識別番号とが一致するか否かを判断する機能を有している。
パスワード送信手段１０８は、上記携帯電話機用ＷＥＢサーバ１２を用いて構成され、上記２つの端末識別番号が一致しているときに、利用者情報データベース１０３から読み出したパスワードを携帯電話通信網５０を介して携帯電話機３０に送信する機能を有している。
【００１９】
図４は、利用者が利用者ＩＤ及びパスワードを入力してサービス利用を開始するときの認証支援システム１０の機能ブロック図である。この認証支援システム１０は、認証処理要求受信手段１０９と、情報読み出し手段１０６と、認証処理手段１１０とを備えている。
認証処理要求受信手段１０９は、上記一般公開用ＷＥＢサーバ１１を用いて構成され、次のような機能を有している。すなわち、利用者が使用するパソコン２０からインターネット４０を介してサービスを利用するときに用いる利用者ＩＤ及びパスワードとともに、利用者が本人であるか否かの認証処理を要求する認証処理要求を受信する機能を有している。
情報読み出し手段１０６は、上記利用者情報ＤＢサーバ１４を用いて構成され、利用者情報ＤＢ１０３から利用者ＩＤに関連付けられているパスワードを読み出す機能を有している。
認証処理手段１１０は、上記登録・認証サーバ１３を用いて構成され、次のような機能を有している。すなわち、パソコン２０から受信した利用者ＩＤ及びパスワードと、利用者情報ＤＢ１０３から読み出した利用者ＩＤ及びパスワードとが一致するか否かを判断し、利用者ＩＤ及びパスワードが一致するときに利用者が本人であると認証する機能を有している。
【００２０】
図５は、本実施形態の認証支援システム１０を用いた利用者登録処理、パスワード取得処理及びサービス利用開始処理の一例を示すシーケンス図である。また、図６、図７及び図８はそれぞれ、利用者登録処理、パスワード取得処理及びサービス利用開始処理のフローチャートである。この例では、携帯電話機の利用者がインターネットからアクセス可能なＷＥＢページ上で、利用料金の確認、各種契約内容の変更、便利なスケジューラ、メールマガジン、各種キャンペーン情報の提供などのサービスを受ける場合について示している。
まず、利用者が上記サービスを受けるための新規利用者登録（新規会員登録）を行うときは、パソコン２０から図９のログインのＷＥＢページにアクセスし、このＷＥＢページ上で「新規会員登録はこちら」のボタンをクリックすると、新規登録用のＷＥＢページが表示される。この新規登録用のＷＥＢページ上で、氏名、携帯電話機の端末識別番号、利用者が決めた利用者ＩＤ等を入力し、入力データを確認した後、「登録」ボタンをクリックする。この操作により、パソコン２０から一般公開用ＷＥＢサーバ１１へ、氏名、携帯電話機の端末識別番号、利用者ＩＤ等のデータとともに利用者登録要求が送信される。
上記利用者登録要求等を受信した一般公開用ＷＥＢサーバ１１は、パソコン２０から受信した氏名、携帯電話機の端末識別番号、利用者ＩＤ等のデータを登録・認証サーバ１３へ送る。登録・認証サーバ１３では、利用者ＩＤと組み合わせて用いるパスワードを生成して発行する。この登録・認証サーバ１３で生成したパスワードは、上記氏名、携帯電話機の端末識別番号、利用者ＩＤ等のデータとともに利用者情報ＤＢサーバ１４へ送られ、互いに関連付けられて登録・保存される。
上記利用者ＩＤ、パスワード等の登録が完了すると、登録・認証サーバ１３から一般公開用ＷＥＢサーバ１１へ登録完了情報が送られ、更に一般公開用ＷＥＢサーバ１１から利用者のパソコン２０へ登録完了情報が送られる。この登録完了情報には、図１０に示すように携帯電話機を用いてパスワードを取得・確認する手順に関する情報が含まれている。
【００２１】
上記登録完了情報を受け取った利用者がパスワードを取得・確認するときは、図１０に示すように、携帯電話機３０を操作して所定のパスワード確認画面を表示させる。そして、上記登録時に入力したものと同じ利用者ＩＤを入力し、「ログイン」ボタンをクリックし、更に「情報変更／利用停止」ボタンをクリックする。この操作により、携帯電話機３０から携帯電話機用ＷＥＢサーバ１２へ、利用者ＩＤ及び携帯電話機の端末識別番号とともにパスワード取得要求が送信される。この利用者ＩＤが携帯電話機用ＷＥＢサーバ１２から登録・認証サーバ１３へ送られると、利用者情報ＤＢサーバ１４において利用者ＩＤに対応するパスワードが読み出される。読み出されたパスワードは他の登録情報のデータとともに、登録・認証サーバ１３から携帯電話機用ＷＥＢサーバ１２へ送られ、更に携帯電話機用ＷＥＢサーバ１２から携帯電話機３０へ送信される。
【００２２】
上記パスワードを取得・確認した利用者が上記サービスを利用するときは、パソコン２０を操作して前述の図９のログイン画面を表示させる。そして、利用者ＩＤ及びパスワードを入力し、「ログイン」ボタンをクリックする。この操作により、パソコン２０から一般公開用ＷＥＢサーバ１１へ、利用者が入力した利用者ＩＤ及びパスワードとともに認証処理要求が送信される。この認証処理要求を受信した一般公開用ＷＥＢサーバ１１から登録・認証サーバ１３へ利用者ＩＤ及びパスワードが送られると、利用者情報ＤＢサーバ１４において利用者ＩＤに対応するパスワードが読み出される。そして、登録・認証サーバ１３において読み出されたパスワードと利用者のパソコン２０から受信したパスワードとが一致するか否かが判断される。このパスワードが一致している場合は、利用者が本人であると認証される。これにより、利用者は前述のように利用料金の確認、各種契約内容の変更、便利なスケジューラ、メールマガジン、各種キャンペーン情報の提供などのサービスを受けることができるようになる。
【００２３】
以上、本実施形態によれば、携帯電話機３０の端末識別番号の情報に基づいて利用者本人のみが自分のパスワードを取得することができるようになるので、第三者によるパスワードの不正取得の可能性が極めて低くなり、「なりすまし」を防止した信頼性の高い本人認証が可能になる。しかも、利用者が自分の携帯電話機３０から携帯電話通信網５０を介してオンラインで自分のパスワードを取得して確認することができるため、パスワードを郵送等で取得する場合に比して、パスワード取得のための時間的ロスが少ない。
また、本実施形態によれば、第三者による不正取得が困難な信頼性の高い方法で登録されたパスワードを用いてサービス利用開始を許可することができるので、特定の利用者に対してサービスを提供するときのセキュリティを高めることができる。
【００２４】
なお、本実施形態においては、携帯電話機３０だけを用いてパスワードの取得・確認を行っているが、携帯電話通信網５０内で使用されるメッセージ通信システムであるＳＭＳ（ショート・メッセージング・サービス）を利用して、パソコン２０と携帯電話機３０とを連携させてパスワードの取得・確認を行うようにしてもよい。この場合は、図１１に示すように認証支援システム１０内に携帯電話機用ＳＭＳサーバ１５を設ける。
【００２５】
図１２は、携帯電話機のＳＭＳを利用して利用者がパスワードを取得するときの認証支援システム１０の機能ブロック図である。この認証支援システム１０は、前述の図３の場合と同様に、パスワード取得要求受信手段１１１と、情報読み出し手段１１２と、パスワード送信手段１１３とを備えている。
パスワード取得要求受信手段１１１は、上記一般公開用ＷＥＢサーバ１１を用いて構成され、次のような機能を有している。すなわち、利用者が使用するパソコン２０からインターネット４０を介して、利用者が使用する携帯電話機３０の端末識別番号とともに、その端末識別番号に関連付けて登録されているパスワードを要求するパスワード取得要求を受信する機能を有している。
情報読み出し手段１１２は、上記利用者情報ＤＢサーバ１４を用いて構成され、利用者情報ＤＢ１０３から、上記パスワード取得要求を送信してきた携帯電話機の端末識別番号に関連付けられているパスワードを読み出す機能を有している。
パスワード送信手段１１３は、上記携帯電話機用ＳＭＳサーバ１５を用いて構成され、利用者情報ＤＢ１０３から読み出したパスワードを、携帯電話通信網５０内で使用されるＳＭＳを用いて携帯電話機３０に送信する機能を有している。
【００２６】
〔実施形態２〕
次に、本発明の第２の実施形態について説明する。本実施形態では、パソコン２０を用いずに携帯電話機３０から利用者ＩＤとパスワードを直接入力して利用者登録を行っている。この認証支援方法を実現するための全体システムとしては、前述の図１及び図１１と同じ構成を採用することができるため、それらの説明は省略する。
【００２７】
図１３は、本実施形態において利用者登録を行うときの認証支援システム１０の機能ブロック図である。この認証支援システム１０は、利用者登録要求受信手段１１４と、利用者情報データベース１０３と、認証情報登録手段１１５とを備えている。
利用者登録要求受信手段１１４は、上記携帯電話機用ＷＥＢサーバ１２を用いて構成され、次のような機能を有している。すなわち、利用者が使用する携帯電話機３０から携帯電話通信網５０を介して、利用者がサービスを利用するときに用いる利用者ＩＤ及びパスワードと、携帯電話機３０の端末識別番号とともに、サービスを利用するための利用者登録を要求する利用者登録要求を受信する機能を有している。
利用者情報データベース１０３及び認証情報登録手段１１５は、上記利用者情報ＤＢサーバ１４を用いて構成され、利用者に関する情報を保存して管理し、携帯電話機から受信したパスワードと利用者ＩＤと端末識別番号とを互いに関連付けて利用者情報データベース１０３に登録する機能を有している。
【００２８】
図１４は、本実施形態の認証支援システム１０を用いた利用者登録処理の一例を示すシーケンス図である。また、図１５は利用者登録処理のフローチャートである。なお、サービス利用開始処理については、上記第１の実施形態と同様であるので説明を省略する。
まず、利用者が上記サービスを受けるための新規利用者登録（新規会員登録）を行うときは、携帯電話機３０からログインのＷＥＢページにアクセスし、このＷＥＢページ上で「新規会員登録」のボタンをクリックすると、新規登録用のＷＥＢページが表示される。この新規登録用のＷＥＢページ上で、氏名、携帯電話機の端末識別番号、利用者が決めた利用者ＩＤ及びパスワード等を入力し、入力データを確認した後、「登録」ボタンをクリックする。この操作により、携帯電話機３０から携帯電話機用ＷＥＢサーバ１２へ、氏名、携帯電話機の端末識別番号、利用者ＩＤ等のデータとともに利用者登録要求が送信される。
上記利用者登録要求等を受信した携帯電話機用ＷＥＢサーバ１２は、携帯電話機３０から受信した氏名、携帯電話機の端末識別番号、利用者ＩＤ、パスワード等のデータを登録・認証サーバ１３へ送る。この携帯電話機３０から受信した氏名、携帯電話機の端末識別番号、利用者ＩＤ、パスワード等のデータは利用者情報ＤＢサーバ１４へ送られ、互いに関連付けられて登録・保存される。
上記利用者ＩＤ、パスワード等の登録が完了すると、登録・認証サーバ１３から携帯電話機用ＷＥＢサーバ１２へ登録完了情報が送られ、更に携帯電話機用ＷＥＢサーバ１２から利用者の携帯電話機３０へ登録完了情報が送られる。
【００２９】
以上、本実施形態によれば、携帯電話機３０の端末識別番号の情報に基づいて利用者本人のみが自分のパスワードを登録することができるようになるので、第三者によるパスワードの不正取得の可能性が極めて低くなり、「なりすまし」を防止した信頼性の高い本人認証が可能になる。しかも、利用者登録処理の際に利用者本人が決めたパスワードが登録されるので、利用者がパスワードを取得して確認するための作業が不要になる。また、パスワードを郵送等で取得する場合に比して、パスワード取得のための時間的ロスが少ない。
また、本実施形態によれば、第三者による不正取得が困難な信頼性の高い方法で登録されたパスワードを用いてサービス利用開始を許可することができるので、特定の利用者に対してサービスを提供するときのセキュリティを高めることができる。
【００３０】
なお、本実施形態において利用者がパスワードを忘れた場合は、前述の第１の実施形態の図３、図５、図７及び図１２を用いて説明した方法により、利用者本人のみが自分のパスワードを確認できるようにすることができる。
【００３１】
〔実施形態３〕
次に、本発明の第３の実施形態について説明する。本実施形態では、パソコン２０と携帯電話機３０とを連携させて利用者登録を行っている。この認証支援方法を実現するための全体システムとしては、前述の図１１と同じ構成を採用することができるため、それらの説明は省略する。
【００３２】
図１６は、本実施形態において利用者登録を行うときの認証支援システム１０の機能ブロック図である。この認証支援システム１０は、利用者登録要求受信手段１０１と、パスワード生成手段１０２、利用者情報データベース１０３と、認証情報登録手段１０４と、パスワード送信手段１１６を備えている。
利用者登録要求受信手段１０１は、上記一般公開用ＷＥＢサーバ１１を用いて構成され、次のような機能を有している。すなわち、利用者が使用するパソコン２０からインターネット４０を介して、利用者がサービスを利用するときに用いる利用者ＩＤと、利用者が使用する携帯電話機３０の端末識別番号とともに、サービスを利用するための利用者登録を要求する利用者登録要求を受信する機能を有している。
パスワード生成手段１０２は、上記登録・認証サーバ１３を用いて構成され、上記利用者登録要求受信手段１０１で受信した利用者ＩＤと組み合わせて用いるパスワードを生成する機能を有する。
利用者情報データベース１０３及び認証情報登録手段１０４は、上記利用者情報ＤＢサーバ１４を用いて構成され、利用者に関する情報を保存して管理し、パスワードと利用者ＩＤと携帯電話機３０の端末識別番号とを互いに関連付けて登録する機能を有している。
パスワード送信手段１１６は、上記携帯電話機用ＷＥＢサーバ１２を用いて構成され、パスワードを、携帯電話通信網５０内で使用されるＳＭＳシステムを用いて携帯電話機３０に送信する機能を有している。
【００３３】
図１７は、本実施形態の認証支援システム１０を用いた利用者登録処理の一例を示すシーケンス図である。また、図１８は利用者登録処理のフローチャートである。なお、サービス利用開始処理については、上記第１の実施形態と同様であるので説明を省略する。
まず、利用者が上記サービスを受けるための新規利用者登録（新規会員登録）を行うときは、パソコン２０から図９のログインのＷＥＢページにアクセスし、このＷＥＢページ上で「新規会員登録はこちら」のボタンをクリックすると、新規登録用のＷＥＢページが表示される。この新規登録用のＷＥＢページ上で、氏名、携帯電話機の端末識別番号、利用者が決めた利用者ＩＤ等を入力し、入力データを確認した後、「登録」ボタンをクリックする。この操作により、パソコン２０から一般公開用ＷＥＢサーバ１１へ、氏名、携帯電話機の端末識別番号、利用者ＩＤ等のデータとともに利用者登録要求が送信される。
上記利用者登録要求等を受信した一般公開用ＷＥＢサーバ１１は、パソコン２０から受信した氏名、携帯電話機の端末識別番号、利用者ＩＤ等のデータを登録・認証サーバ１３へ送る。登録・認証サーバ１３では、利用者ＩＤと組み合わせて用いるパスワードを生成して発行する。この登録・認証サーバ１３で生成したパスワードは、上記氏名、携帯電話機の端末識別番号、利用者ＩＤ等のデータとともに利用者情報ＤＢサーバ１４へ送られ、互いに関連付けられて登録・保存される。
上記利用者ＩＤ、パスワード等の登録が完了すると、登録・認証サーバ１３から一般公開用ＷＥＢサーバ１１へ登録完了情報が送られ、更に一般公開用ＷＥＢサーバ１１から利用者のパソコン２０へ登録完了情報が送られる。
また、上記登録完了情報のパソコン２０への送信とともに、上記発行されて登録されたパスワードが利用者本人の携帯電話機３０へＳＭＳで送信される。
【００３４】
以上、本実施形態によれば、携帯電話機３０の端末識別番号の情報に基づいて利用者本人のみが自分のパスワードを取得することができるようになるので、第三者によるパスワードの不正取得の可能性が極めて低くなり、「なりすまし」を防止した信頼性の高い本人認証が可能になる。しかも、利用者登録処理の際に利用者本人の携帯電話機３０にＳＭＳでパスワードが送信されてくるので、利用者がパスワードを取得して確認するための作業が不要になる。また、パスワードを郵送等で取得する場合に比して、パスワード取得のための時間的ロスが少ない。
また、本実施形態によれば、第三者による不正取得が困難な信頼性の高い方法で登録されたパスワードを用いてサービス利用開始を許可することができるので、特定の利用者に対してサービスを提供するときのセキュリティを高めることができる。
【００３５】
なお、本実施形態において利用者がパスワードを忘れた場合は、前述の第１の実施形態の図３、図５、図７及び図１２を用いて説明した方法により、利用者本人のみが自分のパスワードを確認できるようにすることができる。
【００３６】
【発明の効果】
請求項１乃至１０の発明によれば、移動体通信端末の端末識別情報に基づいて利用者本人のみが自分のパスワードを取得したり登録したりすることができるようになるので、第三者によるパスワードの不正取得の可能性が極めて低くなり、「なりすまし」を防止した信頼性の高い本人認証が可能になる。しかも、利用者が自分の移動体通信端末から移動体通信ネットワークを介してオンラインで自分のパスワードを取得したり登録したりすることができるため、パスワードを郵送等で取得する場合に比して、パスワード取得のための時間的ロスが少ないという効果が得られる。
特に、請求項２及び８発明によれば、利用者が決めたパスワードが登録されるので、利用者がパスワードを取得して確認するための作業が不要となるという効果が得られる。
特に、請求項３及び９の発明によれば、利用者登録処理の際にパスワードが移動体通信端末へ送信されてくるので、利用者がパスワードを取得して確認するための作業が不要になるという効果が得られる。
また、特に、請求項４、５、１０及び１１の発明によれば、利用者本人のみが自分のパスワードを確実に取得したり確認したりすることができるという効果が得られる。
また特に、請求項６及び１２の発明によれば、第三者による不正取得が困難な信頼性の高い方法で登録されたパスワードを用いてサービス利用開始を許可することができるので、特定の利用者に対してサービスを提供するときのセキュリティを高めることができるという効果が得られる。
【図面の簡単な説明】
【図１】本発明の第１の実施形態に係る認証支援方法を実現するための全体システムを示す概念図。
【図２】利用者登録を行うときの認証支援システムの機能ブロック図。
【図３】利用者がパスワードを取得するときの認証支援システムの機能ブロック図。
【図４】利用者が利用者ＩＤ及びパスワードを入力してサービス利用を開始するときの認証支援システムの機能ブロック図。
【図５】認証支援システムを用いた利用者登録処理、パスワード取得処理及びサービス利用開始処理の一例を示すシーケンス図。
【図６】利用者登録処理のフローチャート。
【図７】パスワード取得処理のフローチャート。
【図８】サービス利用開始処理のフローチャート。
【図９】ログインのＷＥＢページの説明図。
【図１０】登録完了通知のＷＥＢページの説明図。
【図１１】携帯電話機のＳＭＳを利用して利用者がパスワードを取得する認証支援方法を実現するための全体システムを示す概念図。
【図１２】携帯電話機のＳＭＳを利用して利用者がパスワードを取得するときの認証支援システムの機能ブロック図。
【図１３】本発明の第２の実施形態において利用者登録を行うときの認証支援システムの機能ブロック図。
【図１４】同認証支援システムを用いた利用者登録処理の一例を示すシーケンス図。
【図１５】同利用者登録処理のフローチャート。
【図１６】本発明の第３の実施形態において利用者登録を行うときの認証支援システムの機能ブロック図。
【図１７】同認証支援システムを用いた利用者登録処理の一例を示すシーケンス図。
【図１８】同利用者登録処理のフローチャート。
【符号の説明】
１０    認証支援サーバ
１１    一般公開用ＷＥＢサーバ
１２    携帯電話機用ＷＥＢサーバ
１３    登録・認証サーバ
１４    利用者情報ＤＢサーバ
１５    携帯電話機用ＳＭＳサーバ
２０    パソコン
３０    携帯電話機
４０    インターネット
５０    携帯電話通信網
【図１】
2004318442.tif 000003
【図２】
2004318442.tif 000004
【図３】
2004318442.tif 000005
【図４】
2004318442.tif 000006
【図５】
2004318442.tif 000007
【図６】
2004318442.tif 000008
【図７】
2004318442.tif 000009
【図８】
2004318442.tif 000010
【図９】
2004318442.tif 000011
【図１０】
2004318442.tif 000012
【図１１】
2004318442.tif 000013
【図１２】
2004318442.tif 000014
【図１３】
2004318442.tif 000015
【図１４】
2004318442.tif 000016
【図１５】
2004318442.tif 000017
【図１６】
2004318442.tif 000018
【図１７】
2004318442.tif 000019
【図１８】
2004318442.tif 000020